(57)【要約】      （修正有）【課題】光沢色と寒色とを組み合わせが盛り付けられた精肉の高級感を消費者に与える精肉向け包装用容器用ラミネートフィルム及びこのラミネートフィルムを積層した包装用容器を提供すること。【解決手段】精肉向け包装用容器用ラミネートフィルム１は、第一の色１１ａが配色してある第一の範囲１１と、この第一の範囲の両脇に位置し、第二の色１２ａが配色してある第二の範囲１２とを有し、マンセル表色系において、この第一の色は以下（１）の条件を満たす金色、この第二の色は以下（２）の条件を満たす紺色、であってもよい。（１）Ｈ：５２〜３５°、Ｓ：１００〜４１％、Ｂ：９６〜６８％（２）Ｈ：２５１〜２０６°、Ｓ：１００〜３５％、Ｂ：６８〜１４％【選択図】図１
2017165477.tif 000002
【特許請求の範囲】
【請求項１】
第一の色が配色してある第一の範囲と、
前記第一の範囲の両脇に位置し、第二の色が配色してある第二の範囲とを有し、
マンセル表色系において、前記第一の色は以下（１）の条件を満たす金色、前記第二の色は以下（２）の条件を満たす紺色、である
ことを特徴とする精肉向け包装用容器用ラミネートフィルム。
（１）Ｈ：５２〜３５°、Ｓ：１００〜４１％、Ｂ：９６〜６８％
（２）Ｈ：２５１〜２０６°、Ｓ：１００〜３５％、Ｂ：６８〜１４％
【請求項２】
前記第二の範囲全体に対し、第二の色が25〜50％配色してある
ことを特徴とする請求項１に記載の精肉向け包装用容器用ラミネートフィルム。
【請求項３】
前記第一の範囲及び前記第二の範囲を直交して通過する直線上に占める当該第一の範囲及び当該第二の範囲の比率が３：１〜１：２である
ことを特徴とする請求項１又は２に記載の精肉向け包装用容器用ラミネートフィルム。
【請求項４】
請求項１〜３のいずれか一項に記載の精肉向け包装用容器用ラミネートフィルムが、
底面部と、当該底面部の周縁から立ち上がる側壁部とを少なくとも備えた包装用容器に積層された場合、
前記底面部の中央部分から前記側壁部の前後側の中央部分に渡って前記第一の範囲が積層され、
前記底面部の端部分から前記側壁部の前後側の端部分及び左右側の全部分に渡って前記第二の範囲が積層されている
ことを特徴とする包装用容器。
【発明の詳細な説明】
【技術分野】
【０００１】
本発明は、所定の模様や絵柄が印刷された精肉向け包装用容器用ラミネートフィルム及びこのラミネートフィルムを積層した包装用容器に関し、さらに詳しくは、複数の色を所定の位置又は比率で配色した精肉向け包装用容器用ラミネートフィルム及びこのラミネートフィルムを積層した包装用容器に関する。
【背景技術】
【０００２】
従来から、例えばスーパーやコンビニエンスストアでは、所定の模様や絵柄や色のラミネートフィルムを貼り付けたプラスチック製の包装用容器を用いて精肉を販売していた。
【０００３】
ラミネートフィルムの模様や絵柄や色は、精肉に対する印象を消費者に与える要素として注目されてきたが、模様や絵柄自体はありふれたものが多いのみならず、一般的には赤色等の暖色を用いて既定の位置に描写することが多かったため、消費者の印象に大きな変化を与えることはできていなかった。
【０００４】
一方、柄模様や色の種類に限らず、包装用容器のラミネートフィルムについては、以前より工夫されてきた。
【０００５】
例えば、有色半透明の柄模様が施されたラミネートフィルムを、包装用容器の底壁（底面）の全て、短い方の側壁の全て及び長い方の側壁の下端部分に設けることにより、外観の意匠性を向上させると共に、この長い方の側壁の上端部分にはラミネートフィルムを設けず無色透明な箇所を残すことにより、食品の状態を確認することができる発想が提案されている（例えば、特許文献１参照。）。
【０００６】
また、ハーフミラー効果を活かし、透明フィルムの片面には光透過性を有する金属光沢層を形成し、その上から着色層を積層することで、透明フィルム側から見た際にメタリック調の色彩（例えば、角度によっては金が強く見えたり、銀が強く見えたりする色合い）を表現できる発想が提案されている（例えば、特許文献２参照。）。
【先行技術文献】
【特許文献】
【０００７】
【特許文献１】特開２００５−１１９７３５号公報
【特許文献２】特開２００８−１３７３４３号公報
【発明の概要】
【発明が解決しようとする課題】
【０００８】
しかしながら、上述した従来技術は、精肉に対する購買意欲の向上を目的としたラミネートフィルムの発想ではない。すなわち、少子高齢化の時代において、精肉の消費者層に高齢者の割合が増えてきた背景に鑑みて、従来のラミネートフィルムでは物足りなかった精肉の高級感（プレミアム感）を消費者に与えるものではない。
【０００９】
精肉に高級感を出す上で、精肉自体の品質が重要であることは言うまでもない。そして、精肉自体の品質において鮮度は重要な要素であり、新鮮なものほど色合いがよい。逆に、色合いが悪い（悪く見える）精肉は、たとえ新鮮だとしても、購買意欲の減退につながりかねない。このため、精肉の見た目に影響を与え得るラミネートフィルムの色調や配色の選択は、精肉の高級感の向上にとって優先順位が高いと言える。
【００１０】
そこで、精肉用のラミネートフィルムには従来から不向きとされてきた青色等の寒色の活用に再検討の余地がある。一般的に、薄めの青色は、海っぽさを連想させるため刺身用のラミネートフィルムに採用されることが多い。そのため、しゃぶしゃぶ等の薄めの精肉にとっては、さわやか感や透明感を与える効果があるとして採用されている。一方、多くの精肉にとっては、青色が近いほど黒ずんで見えてしまうため、逆効果と考えられている。
【００１１】
ところが、発明者等は創意工夫の末、このような従来の常識を覆す発想にたどり着いた。すなわち、青色等の寒色であっても、光沢性のある色との組み合わせや色調や配色の位置・比率によっては、精肉の見た目上の色合いを落とさないばかりか、むしろ高級感ある包装用容器に盛り付けられた精肉として消費者に印象を与えることができることを発見した。
【００１２】
そこで、本発明の第一の目的は、光沢色と寒色との組み合わせが盛り付けられた精肉の高級感を消費者に与える精肉向け包装用容器用ラミネートフィルム及びこのラミネートフィルムを積層した包装用容器を提供することにある。また、本発明の第二の目的は、色調及び配色で光の反射又は吸収の調整が可能な精肉向け包装用容器用ラミネートフィルム及びこのラミネートフィルムを積層した包装用容器を提供することにある。
【課題を解決するための手段】
【００１３】
上記課題を解決するために、本発明による精肉向け包装用容器用ラミネートフィルムは、第一の色が配色してある第一の範囲と、上記第一の範囲の両脇に位置し、第二の色が配色してある第二の範囲とを有し、マンセル表色系において、上記第一の色は以下（１）の条件を満たす金色、上記第二の色は以下（２）の条件を満たす紺色、であることを特徴としている。
（１）Ｈ：５２〜３５°、Ｓ：１００〜４１％、Ｂ：９６〜６８％
（２）Ｈ：２５１〜２０６°、Ｓ：１００〜３５％、Ｂ：６８〜１４％
【００１４】
また、上記第二の範囲全体に対し、第二の色が２５〜５０％配色してあることが望ましい。
【００１５】
また、上記第一の範囲及び上記第二の範囲を直交して通過する直線上に占める上記第一の範囲及び上記第二の範囲の比率が３：１〜１：２であることが望ましい。
【００１６】
さらに、本発明は、上記精肉向け包装用容器用ラミネートフィルムが、底面部と、上記底面部の周縁から立ち上がる側壁部とを少なくとも備えた包装用容器に積層された場合、上記底面部の中央部分から上記側壁部の前後側の中央部分に渡って上記第一の範囲が積層され、上記底面部の端部分から上記側壁部の前後側の端部分及び左右側の全部分に渡って前記第二の範囲が積層されていることを特徴とする。
【００１７】
なお、「第一の範囲の両脇に位置」している状態とは、第一の範囲の左右の端部より外側で、かつこれらの端部にそれぞれ隣接している状態が該当する。「第一の範囲及び第二の範囲を直交して通過する直線」とは、第一の範囲や第二の範囲に対してそれぞれ垂直方向かつ平行な中心線と直交して通過する直線が該当する。
【発明の効果】
【００１８】
本発明によれば、所定のマンセル表色系の条件を満たす第一の色（金色）が配色してある第一の範囲及び第二の色（紺色）が配色してある第二の範囲を有する精肉向け包装用容器用ラミネートフィルムが、消費者にとって盛り付けられた精肉を取る通常の向きを正面方向とする包装用容器に積層された場合、精肉の見栄えを引き立てる明度の高めな上記第一の色が消費者の視野の中央に横方向かつ大き目に入り、精肉が黒ずんで見えない程度の明度の低めな上記第二の色が消費者の視野の端に縦方向かつ小さ目に入る。これにより、上記第一の色と上記第二の色とが組み合わさって精肉を含む商品全体の豪華さを高めることができる。したがって、消費者はプレミアム感を抱き易く、精肉に対する購買意欲を高めることができる。さらに、一般的な暖色のラミネートフィルムとの違いは明確であり、精肉売り場において消費者に対する視認性の向上が期待できる。特に、高齢者の目の水晶体は黄変化に伴い青色系統の判断が困難になるため、光沢色系統との組み合わせにより判断し易くなる。
【図面の簡単な説明】
【００１９】
【図１】精肉向け包装用容器用ラミネートフィルムの概念図及び一部拡大イメージ図である。
【図２】包装用容器の概念斜視図である。
【図３】包装用容器の使用状態を示す概念斜視図である。
【発明を実施するための形態】
【００２０】
以下、図１〜図３を参照しつつ、本発明の一実施形態における精肉向け包装用容器用ラミネートフィルム及びこのラミネートフィルムを積層した包装用容器について説明する。
なお、同等の部品又は部位には、参照を容易にする等のため、同じ数字にアルファベットを付加していると共に、説明が重複するものには、符番を省略しているところもある。図面上見えない部分の符番は、破線を引き出し線として用いている。
【００２１】
まず、図１及び図２を用いて、本実施形態における精肉向け包装用容器用ラミネートフィルム及びこのラミネートフィルムを積層した包装用容器の概要を説明する。図１（Ａ）は精肉向け包装用容器用ラミネートフィルムを概念的に示す図、図１（Ｂ）はこのラミネートフィルムの一部分を拡大したイメージ図である。図２は、精肉向け包装用容器用ラミネートフィルムを積層した所定の包装用容器を概念的に示す斜視図である。
【００２２】
図１に示すように、本実施形態における精肉向け包装用容器用ラミネートフィルム１（以下、単に「ラミネートフィルム１」ともいう。）は、第一の色１１ａが配色してある第一の範囲１１と、この第一の範囲の両脇に位置し、第二の色１２ａが配色してある第二の範囲１２とを有し、マンセル表色系において、この第一の色は以下（１）の条件を満たす金色、この第二の色は以下（２）の条件を満たす紺色、であってもよい。
（１）Ｈ：５２〜３５°、Ｓ：１００〜４１％、Ｂ：９６〜６８％
（２）Ｈ：２５１〜２０６°、Ｓ：１００〜３５％、Ｂ：６８〜１４％
【００２３】
また、第二の範囲１２全体に対し、第二の色１２ａが２５〜５０％配色してもあってもよい。
【００２４】
また、第一の範囲１１及び第二の範囲１２を直交して通過する直線上に占めるこの第一の範囲１１ｙ及び双方の第二の範囲１２ｙの比率が３：１〜１：２であってもよい。
なお、第二の範囲１２の寸法としては、３〜８ｃｍでもよい。
【００２５】
さらに、図２に示すように、ラミネートフィルム１が、底面部２１と、この底面部の周縁から立ち上がる側壁部２２とを少なくとも備えた包装用容器２に積層された場合、この底面部の中央部分からこの側壁部の前後側の中央部分に渡って第一の範囲１１が積層され、この底面部の端部分からこの側壁部の前後側の端部分及び左右側の全部分に渡って第二の範囲１２が積層されていてもよい。
【００２６】
次に、本実施形態における精肉向け包装用容器用ラミネートフィルム及びこのラミネートフィルムを積層した包装用容器の構造について詳細に説明する。
【００２７】
図１（Ａ）に示すラミネートフィルム１は、透明な無地のフィルムの表面に、所定の色若しくは模様や絵柄又はこれらの結合したインキが所定の位置や範囲（又は形状）に印刷されたものを示してもよい。
なお、フィルムの素材としては、例えば無延伸ポリスチレンフィルムでもよく、限定はない。色としては、例えばＨＳＢ（マンセル）表式系、ＣＩＥ−Ｌａｂ表式系又はＣＭＹＫ表式系で規定されているものでもよく、限定はない。模様としては、質感を表現するテクスチャでもよく、限定はない。絵柄としては、イラストやモチーフでもよく、例えば和風式（葉っぱ、木の実、瓢箪、扇子及び車輪等を描写したもの）でもよく、限定はない。色や模様が印刷されるフィルム上の範囲（形状）としては、例えば矩形状、楕円形状、円形状又は任意の形状でもよく、限定はない（そのため、図１（Ａ）では点線で描写している）。
【００２８】
ここで、ＨＳＢ（マンセル）表式系とは、コンピュータ上で扱う色を数値化したもので、色相（Hue）、彩度（Saturation）、明度（Brightness）を用いて色を指定するものが該当し、コンピュータやオペレーティングシステム（ＯＳ）の種別によっては、ＨＳＶ（ＶはValue）やＨＳＬ（ＬはLightness）と表現してもよい。ＣＩＥ−Ｌａｂ表式系とは、ＣＩＥ（国際照明委員会）が提唱したカラー測定値で、明度Ｌ*（Lightness）、クロマネティクス指数ａ*，ｂ*からなる均等色空間上の座標で表したものが該当する。ＣＭＹＫ表式系とは、シアン（Cyan）、マゼンタ（Magenta）、イエロー（Yellow）、ブラック（Black）の組み合わせを用いて色を指定するものが該当する。
【００２９】
インキを印刷するための印刷方法としては、例えばグラビア印刷、オフセット印刷又はフレキソ印刷でもよく、限定はない。着色には、任意の色に調整されたインキを全面にベタ印刷しても所定の形状にパターン印刷してもよく、限定はない。インキは、油性でも水性でもよい。インキに含有させる粉末としては、アルミニウム粉、銀粉、金粉、銅粉、青銅粉、亜鉛粉、これらの粉末の混合物、その他金属や合金の粉末又は金属蒸着細片等の金属光沢成分として従来公知の様々な形態を有するものでもよく、黄色、青色、赤色等の着色剤を混ぜ合わせて色調を調整した粉末でもよい。
【００３０】
ラミネートフィルム１を包装用容器の基材（白色の発泡性のＰＳＰシート等）や他のフィルムと積層する方法としては、例えば所定の接着剤を介して圧着して張り合わせるドライラミネート法、重ね合わせて熱溶着する共押出法又は熱ロールを通して熱溶着させる熱ラミネート法のいずれでもよく、限定はない。
【００３１】
図１（Ａ）に示す第一の範囲１１は、ラミネートフィルム１の中央部分に該当し、印刷の範囲（形状）が長方形状の場合、一対の短手辺（又は長手辺）の一方から他方までの範囲が該当してもよい。
なお、第一の範囲１１の形状は、例えば、直線状や蛇行状でもよく、限定はない。第一の範囲１１内に、別の範囲（第二の範囲１２等）や別の色（第二の色１２ａ等又は無色透明）や模様が介在していてもよい。
【００３２】
図１（Ａ）に示す第二の範囲１２は、ラミネートフィルム１の中央部分以外の両端部分に該当し、印刷の範囲（形状）が長方形状の場合、一対の短手辺（又は長手辺）の中央部分以外の両端部分と一対の長手辺（又は短手辺）とに接する範囲が該当してもよい。
なお、第二の範囲１２の形状は、例えば、直線状や蛇行状や半円状でもよく、限定はない。第二の範囲１２内に、別の範囲（第一の範囲１１等）や別の色（第一の色１１ａ、この第一の色より濃淡の薄い金色を含む第三の色１２ｂ、第二の色１２ａより濃淡の薄い紺色を含む第四の色１２ｃ、白色を含む第五の色１２ｄ又は無色透明）や絵柄が介在していてもよい。第一の範囲１１と第二の範囲１２とが隣接している部分は、直線状のみならず、曲線状でもよい。
【００３３】
図１（Ｂ）に示す第一の色１１ａは、ＨＳＢ（マンセル）表式系の所定の条件を満たす金色が該当してもよく、この条件としては、Ｈ：５２〜３５°、Ｓ：１００〜４１％、Ｂ：９６〜６８％でもよく、Ｈ：５１〜４０°、Ｓ：１００〜６１％、Ｂ：９６〜７８％が好ましく、Ｈ：４８〜４３°、Ｓ：１００〜８１％、Ｂ：９６〜８７％がより好ましい。
なお、上記条件と同等のＣＩＥ−Ｌａｂ表式系の条件としては、Ｌ*：８６〜６２％、ａ*：０〜７％、ｂ*：８５〜２６％でもよく、Ｌ*：８５〜６８％、ａ*：２〜９％、ｂ*：８４〜４７％が好ましく、Ｌ*：８２〜７３％、ａ*：８〜１１％、ｂ*：８２〜６８％がより好ましい。
【００３４】
図１（Ｂ）に示す第二の色１２ａは、ＨＳＢ（マンセル）表式系の所定の条件を満たす紺色が該当してもよく、この条件としては、Ｈ：２５１〜２０６°、Ｓ：１００〜３５％、Ｂ：６８〜１４％でもよく、Ｈ：２４４〜２０９°、Ｓ：１００〜６０％、Ｂ：５１〜２４％が好ましく、Ｈ：２３６〜２１１°、Ｓ：１００〜８０％、Ｂ：３５〜２１％がより好ましい。
なお、上記条件と同等のＣＩＥ−Ｌａｂ表式系の条件としては、Ｌ*：１９〜１０％、ａ*：５２〜−３％、ｂ*：−８２〜−６％でもよく、Ｌ*：１２〜１７％、ａ*：４２〜−３％、ｂ*：−６７〜−１４％が好ましく、Ｌ*：７〜１１％、ａ*：２７〜−２％、ｂ*：−６７〜−１７％がより好ましい。
【００３５】
図１（Ｂ）に示す第三の色１２ｂは、ＨＳＢ（マンセル）表式系の所定の条件を満たす金色が該当してもよく、この条件としては、Ｈ：５０〜３５°、Ｓ：４５〜１４％、Ｂ：９８〜８５％でもよく、Ｈ：４９〜３７°、Ｓ：３８〜２０％、Ｂ：９４〜８８％が好ましく、Ｈ：４７〜４１°、Ｓ：４５〜３５％、Ｂ：９８〜９０％がより好ましい。
なお、上記条件と同等のＣＩＥ−Ｌａｂ表式系の条件としては、Ｌ*：９２〜８３％、ａ*：−２〜２％、ｂ*：４８〜１１％でもよく、Ｌ*：８９〜８４％、ａ*：−２〜３％、ｂ*：３９〜１６％が好ましく、Ｌ*：９０〜８３％、ａ*：０〜３％、ｂ*：４６〜３１％がより好ましい。
【００３６】
図１（Ｂ）に示す第四の色１２ｃは、ＨＳＢ（マンセル）表式系の所定の条件を満たす紺色が該当してもよく、この条件としては、Ｈ：２２７〜２１０°、Ｓ：３８〜５％、Ｂ：９１〜５５％でもよく、Ｈ：２２５〜２１６％、Ｓ：３８〜１６％、Ｂ：９１〜６７％が好ましく、Ｈ：２２１〜２１８％、Ｓ：３８〜２７％、Ｂ：９１〜７９％がより好ましい。
なお、上記条件と同等のＣＩＥ−Ｌａｂ表式系の条件としては、Ｌ*：６８〜５６％、ａ*：６〜０％、ｂ*：−３７〜−３％でもよく、Ｌ*：６８〜６３％、ａ*：４〜−１％、ｂ*：−３６〜−１０％が好ましく、Ｌ*：７０〜６８％、ａ*：１〜−１％、ｂ*：−３４〜−２０％がより好ましい。
【００３７】
図１（Ｂ）に示す第五の色１２ｄは、無色透明でもよい。そして、白色の基材にラミネートフィルムを積層した場合、無色透明な部分がＨＳＢ（マンセル）表式系の所定の条件を満たす白色に該当してもよく、この条件としては、Ｈ：０〜３６０°、Ｓ：０〜１００％、Ｂ：０％が好ましい。
なお、上記条件と同等のＣＩＥ−Ｌａｂ表式系の条件としては、Ｌ*：１００％、ａ*：−１２８〜１２７％、ｂ*：−１２８〜１２７％が好ましい。
【００３８】
図１（Ａ）に示すとおり、第二の範囲１２全体に対して、第一の範囲１１全体との美感（色調や配色のバランス）を考慮すると、第二の色１２ａの配色の割合は２５〜５０％でもよく、３０〜４８％が好ましく、需要者が受けるプレミアム感をより引き立てるには３５〜４５％がより好ましい。
【００３９】
図１（Ａ）に示すとおり、ラミネートフィルム１を所定の包装用容器に積層する場合、第一の範囲１１及び第二の範囲１２を直交して通過する直線Ｌ上に占めるこの第一の範囲及びこの第二の範囲の比率（１１ｙ：１２ｙ×２）は、細長い包装用容器から略正方形状や略円形状の包装容器まで幅広く適用するために３：１〜１：２でもよく、一般的な精肉用の包装用容器に適用するためには２：１〜４：５が好ましく、消費者が受けるプレミアム感を引き立てるために３：２〜１：１がより好ましい。
【００４０】
図２に示すとおり、ラミネートフィルム１を積層した包装用容器２としては、精肉が盛り付けられる平面状の底面部２１と、この底面部の周縁から外方に傾斜して立ち上がる側壁部２２と、この側壁部から外方に延出しているフランジ部２３とを備えていてもよい。底面部２１が長方形状の場合、側壁部２２が、長手辺から立ち上がる長手側壁部２２ａと、短手辺から立ち上がる短手側壁部２２ｂとで構成されていてもよい。包装用容器２の向きとしては、消費者が盛り付けられた精肉を取る通常の向きを正面方向としてもよく、長手側壁部２２ａ側を正面方向としてもよい。包装用容器２にラミネートフィルム１が積層された場合、第一の範囲１１が底面部２１の中央部分から長手側壁部２２ａの中央部分に渡って位置し、第二の範囲１２が底面部２１の中央部分以外の端部分から長手側壁部２２ａの中央部分以外の端部分及び短手側壁部２２ｂに渡って位置してもよい。
なお、底面部２１又は側壁部２２の上端で形成される開口の形状は、円形状でもよい。底面部２１には、所定の凹凸やリブが設けてあってもよい。包装用容器の蓋としては、成型されたもののみならず、包装用ラップフィルムやトップシールでもよい。「消費者が盛り付けられた精肉を取る通常の向き」とは、包装用容器の形状によって異なっていてもよく、例えば長方形状の場合は側壁部の長手側が手前になる横向きの状態、楕円形状の場合は長い方の中心線が横向きの状態でもよい。
【００４１】
次に、図３を用いて、精肉が盛り付けられた場合の精肉向け包装用容器用ラミネートフィルムが積層された包装用容器の状態を説明する。図３は、精肉が盛り付けられた精肉向け包装用容器用ラミネートフィルム付き包装用容器の状態を斜視したものである。
【００４２】
図３に示すとおり、底面部２１及び側壁部２２で形成される開口が矩形状の包装用容器２に、ラミネートフィルム１が積層され、この底面部に精肉Ｍが通常の高さ（例えば、フランジ部２３を越えない高さや蓋に精肉Ｍが当たらない高さ）まで盛り付けられている。第一の範囲１１のうち底面部２１に該当する箇所の略全部は精肉Ｍで隠れており、長手側壁部２２ａに該当する箇所の一部（中央部分の上側半分）と、第二の範囲１２のうち長手側壁部２２ａに該当する箇所の一部（中央部分以外の端部分の上側半分）及び短手側壁部２２ｂに該当する箇所の一部（上側半分）は露出している。包装用容器２は、消費者が盛り付けられた精肉Ｍを取る通常の向き（長手側壁部２２ａの一方が手前に来る向き）を正面方向として陳列される。このため、正面方向の前後側に位置する長手側壁部２２ａの中央部分に配色してある第一の色１１ａ（金色）は、消費者の視野に占める割合が大きい。一方、正面方向の前後側に位置する長手側壁部２２ａの端部分と、横方向の左右側に位置する短手側壁部２２ｂの全部分に配色してある第二の色１２ａ（紺色）は、消費者の視野に占める割合が第一の色１１ａより小さい。
【００４３】
このように、所定のマンセル表色系の条件を満たす第一の色１１ａ（金色）が配色してある第一の範囲１１及び第二の色１２ａ（紺色）が配色してある第二の範囲１２を有するラミネートフィルム１が、消費者が盛り付けられた精肉を取る通常の向きを正面方向とする包装用容器に積層された場合、精肉Ｍの見栄えを引き立てる明度の高めな第一の色１１ａ（金色）が消費者の視野の中央に横方向かつ大き目に入り、精肉Ｍが黒ずんで見えない程度の明度の低めな第二の色１２ａ（紺色）が消費者の視野の端に縦方向かつ小さ目に入ることにより、この第一の色と第二の色とが組み合わさって精肉Ｍを含む商品全体の豪華さを高めることができる。したがって、消費者はプレミアム感を抱き易く、精肉Ｍに対する購買意欲を高めることができる。さらに、一般的な暖色のラミネートフィルムとの違いは明確であり、精肉売り場において消費者に対する視認性の向上が期待できる。特に、高齢者の目の水晶体は黄変化に伴い青色系統の判断が困難になるため、光沢色系統との組み合わせにより判断し易くなる。
【００４４】
また、精肉Ｍには、正面方向の前後側から内側に向かって傾斜する長手側壁部２２ａの中央部分に配色された第一の色１１ａ（金色）からの反射光が照らされる。一方、長手側壁部２２ａの中央部分以外の端部分及び短手側壁部２２ｂの全部分に配色された第二の色１２ａ（紺色）は、第一の色（金色）からの反射光を含む光の一部を吸収する。したがって、ラミネートフィルム１の第一の範囲１１の第一の色１１ａ及び第二の範囲１２の第二の色１２ａの配色及び比率により、精肉Ｍへの光の照り具合の調整が期待できる。さらに、第二の範囲１２内に第三の色（第一の色より濃淡の薄い金色）、第四の色（第二の色より濃淡の薄い紺色）、第五の色（白色）が配色されていれば、光を吸収する箇所と反射する箇所が混在するため、光の照り具合がより調整され、精肉Ｍの見栄えの向上が期待できる。
【００４５】
なお、本実施形態における包装用容器は、例えば真空成形、圧空成形、真空圧空成形、両面真空成形、熱板成形等のシート成形で、合成樹脂シートを熱成形することにより形成される。合成樹脂シートとしては、例えばポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はないが、０．１５〜０．５ｍｍであればよく、好ましくは０．１８〜０．４５ｍｍ、より好ましくは０．２〜０．３５ｍｍである。
【産業上の利用可能性】
【００４６】
本発明における包装用容器は、精肉類に限らず、惣菜類、魚介類、野菜類を含む食品全般及び包装用容器に関する産業に広く利用可能である。
【符号の説明】
【００４７】
１      ラミネートフィルム
１１    第一の範囲
１１ａ  第一の色
１２    第二の範囲
１２ａ  第二の色
２      包装用容器
【図１】
2017165477.tif 000003
【図２】
2017165477.tif 000004
【図３】
2017165477.tif 000005